【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
入射光量に応じた電荷を蓄積する電荷蓄積手段と、
前記電荷蓄積手段で複数回の電荷蓄積を行い得られた複数の出力信号に基づいて、フリッカーを検出する検出手段と、
前記電荷蓄積手段で複数回の電荷蓄積を行い得られた複数の出力信号に基づいて、前記検出手段が検出したフリッカーの特徴点のタイミングを算出する算出手段と、
前記算出手段が算出した前記特徴点のタイミングに基づいてフリッカーの影響を低減させた撮像を行うタイミングを制御する制御手段と、
前記検出手段によるフリッカーの検出のための複数回の電荷蓄積を行う第１の動作モードと、前記第１の動作モードよりも少ない回数の電荷蓄積を行い前記特徴点のタイミングの算出を行う第２の動作モードと、を切替える切替え手段と、を有することを特徴とする撮像装置。
【請求項２】
前記切替え手段は、フリッカー検出結果の変化する可能性が低いと判断できる状況では前記第２の動作モードにすることを特徴とする請求項１に記載の撮像装置。
【請求項３】
前記切替え手段は、連続撮影における撮像の合間は前記第２の動作モードにすることを特徴とする請求項１または２に記載の撮像装置。
【請求項４】
前記切替え手段は、連続撮影の前は前記第１の動作モードにし、当該連続撮影における撮像の合間は前記第２の動作モードにすることを特徴とする請求項１ないし３のいずれか１項に記載の撮像装置。
【請求項５】
撮影準備動作の開始指示を行うための操作手段を有し、
前記切替え手段は、前記操作手段が操作されて前記撮影準備動作の開始指示が行われている状況では、前記第２の動作モードにすることを特徴とする請求項１または２に記載の撮像装置。
【請求項６】
前記算出手段は、前記第２の動作モードのときは、前記検出手段による検出結果のうち最新の検出結果が表すフリッカーの特徴点のタイミングを算出することを特徴とする請求項１ないし５のいずれか１項に記載の撮像装置。
【請求項７】
前記特徴点のタイミングは、フリッカーの光量変化の中で光量が最大となるタイミングであることを特徴とする請求項１乃至６のいずれか１項に記載の撮像装置。
【請求項８】
前記算出手段は、前記複数の出力信号のうち最大値となる出力信号が当該複数の出力信号の最初または最後に得られた出力信号ではない場合、前記最大値となる出力信号及び当該最大値となる出力信号の前後に得られた出力信号に基づいて、フリッカーの光量変化の中で光量が最大となるタイミングを算出することを特徴とする請求項７に記載の撮像装置。
【請求項９】
前記算出手段は、前記複数の出力信号のうち最大値となる出力信号が当該複数の出力信号の最初に得られた出力信号である場合、前記最大値となる出力信号と、当該最大値となる出力信号の直後に得られた出力信号と、当該最大値となる出力信号よりも前記検出手段により検出されたフリッカーの周期に応じた時間だけ後に得られた出力信号と、に基づいてフリッカーの光量変化の中で光量が最大となるタイミングを算出することを特徴とする請求項７または８に記載の撮像装置。
【請求項１０】
前記算出手段は、前記複数の出力信号のうち最大値となる出力信号が当該複数の出力信号の最後に得られた出力信号である場合、前記最大値となる出力信号と、当該最大値となる出力信号の直前に得られた出力信号と、当該最大値となる出力信号よりも前記検出手段により検出されたフリッカーの周期に応じた時間だけ前に得られた出力信号と、に基づいてフリッカーの光量変化の中で光量が最大となるタイミングを算出することを特徴とする請求項７ないし９のいずれか１項に記載の撮像装置。
【請求項１１】
前記特徴点のタイミングは、フリッカーの光量変化の中で光量が最小となるタイミングであることを特徴とする請求項１乃至６のいずれか１項に記載の撮像装置。
【請求項１２】
前記算出手段は、前記複数の出力信号のうち最小値となる出力信号が当該複数の出力信号の最初または最後に得られた出力信号ではない場合、前記最小値となる出力信号及び当該最小値となる出力信号の前後に得られた出力信号に基づいて、フリッカーの光量変化の中で光量が最小となるタイミングを算出することを特徴とする請求項１１に記載の撮像装置。
【請求項１３】
前記算出手段は、前記複数の出力信号のうち最小値となる出力信号が当該複数の出力信号の最初に得られた出力信号である場合、前記最小値となる出力信号と、当該最小値となる出力信号の直後に得られた出力信号と、当該最小値となる出力信号よりも前記検出手段により検出されたフリッカーの周期に応じた時間だけ後に得られた出力信号と、に基づいてフリッカーの光量変化の中で光量が最小となるタイミングを算出することを特徴とする請求項１１または１２に記載の撮像装置。
【請求項１４】
前記算出手段は、前記複数の出力信号のうち最小値となる出力信号が当該複数の出力信号の最後に得られた出力信号である場合、前記最小値となる出力信号と、当該最小値となる出力信号の直前に得られた出力信号と、当該最小値となる出力信号よりも前記検出手段により検出されたフリッカーの周期に応じた時間だけ前に得られた出力信号と、に基づいてフリッカーの光量変化の中で光量が最小となるタイミングを算出することを特徴とする請求項１１ないし１３のいずれか１項に記載の撮像装置。
【請求項１５】
測光手段と、
前記測光手段を用いて複数回の電荷蓄積を行い得られた複数の出力信号に基づいて、フリッカーの光量変化の周期を検出する検出手段と、
前記測光手段を用いて複数回の電荷蓄積を行い得られた複数の出力信号に基づいて、フリッカーの特徴点のタイミングを算出する算出手段と、を有し、
前記検出手段は、連続撮影の前に前記フリッカーの光量変化の周期を検出し、当該連続撮影における撮像の合間に前記フリッカーの光量変化の周期を検出せず、
前記算出手段は、前記フリッカー検出手段によって前記連続撮影の前にフリッカーが検出された場合に、当該連続撮影における撮像の合間に前記フリッカーの特徴点のタイミングを算出することを特徴とする撮像装置。
【請求項１６】
撮像手段と、
前記撮像手段を用いて撮像を行うタイミングを決定する決定手段と、を有し、
前記決定手段は、連続撮影における第１の撮像と当該第１の撮像の次の第２の撮像の間に前記算出手段が算出した前記フリッカーの特徴点のタイミングに基づいて、前記第２の撮像を行うタイミングを決定することを特徴とする請求項１５に記載の撮像装置。
【請求項１７】
入射光量に応じた電荷を蓄積する電荷蓄積手段を有する撮像装置の制御方法であって、前記電荷蓄積手段で複数回の電荷蓄積を行い得られた複数の出力信号に基づいて、フリッカーを検出する検出ステップと、
前記電荷蓄積手段で複数回の電荷蓄積を行い得られた複数の出力信号に基づいて、前記検出ステップで検出されたフリッカーの特徴点のタイミングを算出する算出ステップと、前記算出ステップで算出された特徴点のタイミングに基づいてフリッカーの影響を低減させた撮像を行うタイミングを制御する制御ステップと、
前記検出ステップでフリッカーの検出のための複数回の電荷蓄積を行う第１の動作モードと、前記第１の動作モードよりも少ない回数の電荷蓄積を行い前記特徴点のタイミングの算出を行う第２の動作モードと、を切替える切替えステップと、を有することを特徴とする撮像装置の制御方法。
【請求項１８】
測光手段を備えた撮像装置の制御方法であって、
前記測光手段を用いて複数回の電荷蓄積を行い得られた複数の出力信号に基づいて、フリッカーの光量変化の周期を検出する検出ステップと、
前記測光手段を用いて複数回の電荷蓄積を行い得られた複数の出力信号に基づいて、フリッカーの特徴点のタイミングを算出する算出ステップと、を有し、
前記検出ステップでは、連続撮影の前に前記フリッカーの光量変化の周期を検出し、当該連続撮影における撮像の合間に前記フリッカーの光量変化の周期を検出せず、
前記算出ステップでは、前記連続撮影の前にフリッカーが検出された場合に、当該連続撮影における撮像の合間に前記フリッカーの特徴点のタイミングを算出することを特徴とする撮像装置の制御方法。
【請求項１９】
請求項１７または１８に記載の制御方法をコンピュータに実行させるためのプログラム。
【請求項２０】
コンピュータに、請求項１７または１８に記載された制御方法を実行させるためのプログラムを記憶したコンピュータにより読み取り可能な記憶媒体。
【手続補正２】
【補正対象書類名】明細書
【補正対象項目名】００１０
【補正方法】変更
【補正の内容】
【００１０】
上記目的を達成するために、本発明に係る撮像装置は、入射光量に応じた電荷を蓄積する電荷蓄積手段と、前記電荷蓄積手段で複数回の電荷蓄積を行い得られた複数の出力信号に基づいて、フリッカーを検出する検出手段と、前記電荷蓄積手段で複数回の電荷蓄積を行い得られた複数の出力信号に基づいて、前記検出手段が検出したフリッカーの特徴点のタイミングを算出する算出手段と、前記算出手段が算出した前記特徴点のタイミングに基づいてフリッカーの影響を低減させた撮像を行うタイミングを制御する制御手段と、前記検出手段によるフリッカーの検出のための複数回の電荷蓄積を行う第１の動作モードと、前記第１の動作モードよりも少ない回数の電荷蓄積を行い前記特徴点のタイミングの算出を行う第２の動作モードと、を切替える切替え手段と、を有することを特徴とする。